(57)【要約】      （修正有）【課題】重量物を収容した状態でスリングベルトにより吊り上げた際に、強化段ボールを含む包装容器の変形や破損を防止できる包装容器用保形具を提供する。【解決手段】対向する垂直板２Ａ及び垂直板の上端から他方の垂直板に向かって延びる水平板２Ｂからなる長い一対のアングル材により構成される掛止部材２と、垂直板２Ａとは隙間５を空けて水平板２Ｂとは当接した状態で水平板２Ｂの下面に固定され掛止部材２間を繋ぐように離間並設された一対の横架部材３とからなる。包装容器の強化段ボール製側板の上端部を隙間５に入れた状態で包装容器に装着する。【選択図】図２
0003184587.tif 000002
【実用新案登録請求の範囲】
【請求項１】
一部に強化段ボールを含む包装容器において、前記強化段ボールに装着される包装容器用保形具であって、
対向する垂直板及び前記垂直板の上端から他方の垂直板に向かって延びる水平板からなる、前記垂直板の対向方向に直交する水平方向に長い一対のアングル材により構成される一対の掛止部材と、
前記対向方向に長く、前記垂直板とは隙間を空けて前記水平板の下面に当接した状態で前記水平板に固定されて前記掛止部材間を繋ぐ、前記水平方向に離間するように並設された複数の横架部材とからなり、
前記包装容器の強化段ボール製側板の上端部が前記隙間に入った状態で前記包装容器に装着されることを特徴とする包装容器用保形具。
【請求項２】
前記掛止部材が鋼製であり、前記横架部材が木製である請求項１記載の包装容器用保形具。
【請求項３】
重量物である荷物が固定されるパレットと、
前後左右の側板により構成され、平面視矩形状で上面及び下面が開口し、その下端縁が前記パレットに嵌合する、強化段ボール製スリーブと、
前記スリーブの上面開口を塞ぐ、強化段ボール製蓋体と、
請求項１又は２記載の包装容器用保形具と、
を備えた重量物吊上げ用包装容器。
【考案の詳細な説明】
【技術分野】
【０００１】
本考案は、一部に強化段ボールを含む包装容器に重量物を収容して梱包した状態でクレーン等を用いて荷役運搬作業を行う際に、前記包装容器の変形を防止する保形具に関するものである。
【背景技術】
【０００２】
一部に強化段ボールを含む包装容器に重量物である荷物を収容して梱包した状態でクレーン等を用いて荷役運搬作業を行うものとして、溶接用ワイヤを収容する大容量の縦長の筒状収納容器を、外筒、底板、蓋及び底パットを強化段ボールで製作するとともに、強化段ボール製の底板及び蓋に対して、それぞれ鋼製の外部底板及び外部蓋を添わせることにより、スリングベルト等により吊り上げた際における強化段ボールの変形や破損を防止するものがある（特許文献１参照。）。
また、オートバイ運送専用の包装容器として、強化段ボール製のカバーの内部に、オートバイの前端のハンドル及び後端の把手部分を固定するのに用いられる固定部品を前後に設け、この固定部品を、カバーの内壁に螺着される一対のアングル材である壁梁、及びこれらの壁梁間に跨設されるアングル材である横梁、並びに、横梁に取り付けられるオートバイの上部固定用の挟持リングにより構成したものがある（特許文献２参照。）。
【先行技術文献】
【特許文献】
【０００３】
【特許文献１】特開２００３−１８１６４６号公報
【特許文献２】登録実用新案第３０５５０５２号公報
【考案の概要】
【考案が解決しようとする課題】
【０００４】
特許文献１のような重量物吊上げ用包装容器は、強化段ボール製の底板及び蓋に鋼製の外部底板及び外部蓋を添わせることにより、スリングベルト等により吊り上げた際における強化段ボール製容器の変形や破損を防止する構成であるので、溶接ワイヤの縦長の筒状収納容器としては十分なものであると思われる。
しかしながら、一部に強化段ボールを含む包装容器の一般的な形状は矩形箱状であり、例えば５００ｋｇ以上の機械装置等の重量物である荷物を収容するものでは、その平面積が大きくなるので、鋼製の外部底板及び外部蓋のサイズが大きくなることから、これら鋼製部材の重量が非常に大きくなってしまうため、製造コストが増大するとともに、作業性が低下する。
【０００５】
また、特許文献２のようなオートバイ運送専用の包装容器は、オートバイの前端のハンドル及び後端の把手部分を固定するのに用いられる固定部品が前後にあるので、スリングベルト等により吊り上げた際における強化段ボール製容器の変形や破損を防止する一定の効果はあると思われる。
しかしながら、固定部品のアングル材である壁梁が強化段ボール製のカバーの最上部までわたっていないことから、強化段ボール製のカバーの角部の変形や破損を防止することはできない。
その上、スリングベルト等により吊り上げる際に、固定部材の壁梁が添っていない強化段ボールの部分にスリングベルトが掛かると、さらに変形や破損が大きくなる。
その上さらに、固定部品の壁梁をカバー内壁へ固定する方法が、ボルト及びナットを用いた締結であるので、現場での作業性が悪くなる。
【０００６】
そこで、本考案が前述の状況に鑑み、解決しようとするところは、重量物である荷物を収容した状態でスリングベルト等により吊り上げた際に、一部に強化段ボールを含む包装容器における強化ダンボールの変形や破損を防止できる構成でありながら、製造コストが増大することや現場における作業性が低下することがない、包装容器用保形具及び重量物吊上げ用包装容器を提供する点にある。
【課題を解決するための手段】
【０００７】
本考案に係る包装容器用保形具は、前記課題解決のために、一部に強化段ボールを含む包装容器において、前記強化段ボールに装着される包装容器用保形具であって、対向する垂直板及び前記垂直板の上端から他方の垂直板に向かって延びる水平板からなる、前記垂直板の対向方向に直交する水平方向に長い一対のアングル材により構成される一対の掛止部材と、前記対向方向に長く、前記垂直板とは隙間を空けて前記水平板の下面に当接した状態で前記水平板に固定されて前記掛止部材間を繋ぐ、前記水平方向に離間するように並設された複数の横架部材とからなり、前記包装容器の強化段ボール製側板の上端部が前記隙間に入った状態で前記包装容器に装着されることを特徴とする。
【０００８】
このような構成によれば、包装容器用保形具の掛止部材の垂直板と横架部材との隙間に包装容器の強化段ボール製側板の上端部が入った状態では、包装容器用保形具は前記側板上に載置され、その状態が保持される。
したがって、機械装置等の重量物である荷物の重心位置に応じてスリングベルト等を掛ける位置に包装容器用保形具を容易に合わせることができるとともに、包装容器に包装容器用保形具を固定する作業も容易になる。
その上、前記重量物である荷物を収容した包装容器にスリングベルト等を掛けて吊り上げた際に、包装容器の強化段ボール製側板の上端部のスリングベルト等が掛かる部分には、包装容器用保形具のアングル材により構成される掛止部材があるとともに、一対の掛止部材間には横架部材がわたっている。
したがって、掛止部材及び横架部材により構成される比較的軽量で簡素な構成により、一部に強化段ボールを含む包装容器における強化ダンボールの変形や破損を確実に防止できるとともに、製造コストの増大を抑制できる。
【０００９】
ここで、前記掛止部材が鋼製であり、前記横架部材が木製であると好ましい。
このような構成によれば、アングル材である掛止部材が鋼製であるので、所要の強度及び剛性の確保が容易であるとともに、標準品である等辺山形鋼等の形鋼を用いて製造コストを低減できる。
その上、一対の掛止部材間を繋ぐ横架部材が木製であるので、容易に切断できるため現場での長さ調整が容易であるとともに、掛止部材と横架部材との固定を木ねじ等により容易に行うことができる。
その上さらに、掛止部材の垂直部材と横架部材との隙間に包装容器の強化段ボール製側板の上端部を入れた状態で、包装容器用保形具を強化段ボール製側板に木ねじ等により容易に固定できる。
【００１０】
本考案に係る重量物吊上げ用包装容器は、前記課題解決のために、重量物である荷物が固定されるパレットと、前後左右の側板により構成され、平面視矩形状で上面及び下面が開口し、その下端縁が前記パレットに嵌合する、強化段ボール製スリーブと、前記スリーブの上面開口を塞ぐ、強化段ボール製蓋体と、前記包装容器用保形具とを備えたものである。
【００１１】
このような構成によれば、パレットに重量物である荷物を固定した状態で、強化段ボール製スリーブの下端縁をパレットに嵌合し、強化段ボール製スリーブの側板の上端部に包装容器用保形具を装着し、強化段ボール製蓋体により閉蓋して梱包ベルトを掛けることにより荷造り作業が完了するので、荷造り作業が容易になるとともに、包装容器全体の軽量化及び低コスト化を図ることができる。
その上、包装容器用保形具により強化ダンボールの変形や破損を確実に防止しながら、クレーン等により容易に吊り上げることができるとともに、重量物である荷物がパレットに固定されているため、フォークリフト等により容易に運搬できるので、輸送の際における、工場、トラック、コンテナ又は倉庫等における荷役作業が容易になる。
【考案の効果】
【００１２】
以上のように、本考案に係る包装容器用保形具及び重量物吊上げ用包装容器によれば、（ア）重量物である荷物を収容した状態でスリングベルト等により吊り上げた際に、一部に強化段ボールを含む包装容器における強化ダンボールの変形や破損を、包装容器用保形具により確実に防止できること、
（イ）包装容器用保形具が比較的軽量で簡素な構成であるので、製造コストの増大を抑制できるとともに、現場における作業性が低下しないこと、
（ウ）荷造り作業が容易であるとともに、包装容器全体の軽量化及び低コスト化が図れること、
（エ）輸送の際における、工場、トラック、コンテナ又は倉庫等における荷役作業が容易になること、
等の顕著な効果を奏する。
【図面の簡単な説明】
【００１３】
【図１】本考案の実施の形態に係る重量物吊上げ用包装容器にスリングベルトを掛けて吊り上げている状態を示す斜視図である。
【図２】本考案の実施の形態に係る包装容器用保形具の斜視図である。
【図３】重量物吊上げ用包装容器の強化段ボール製のスリーブの上端部に包装容器用保形具を取り付けた状態を示す斜視図である。
【図４】包装容器用保形具の変形例を示す斜視図である。
【図５】別の変形例を示す斜視図である。
【図６】さらに別の変形例を示す斜視図である。
【考案を実施するための形態】
【００１４】
次に本考案の実施の形態を添付図面に基づき詳細に説明するが、本考案は、添付図面に示された形態に限定されず特許請求の範囲に記載の要件を満たす実施形態の全てを含むものである。
なお、本明細書においては、便宜上、図１〜図３中の矢印Ｆの方向を前方とし、前方に向かって前後左右をいうものとする。
【００１５】
図１の斜視図に示すように、本考案の実施の形態に係る重量物吊上げ用包装容器６は、一部に強化段ボールを含むものであり、重量物である荷物が固定される、例えば木製であるパレット７、下端縁がパレット７に嵌合する、２層又は３層の強化段ボール製のスリーブ８、及び、スリーブ８の上面開口を塞ぐ、２層又は３層の強化段ボール製の蓋体１０、並びに、包装容器６に梱包ベルトＡ，Ａを掛けて荷造りが完了した状態で、スリングベルトＢを掛けてクレーンフックＣにより吊り上げた際における、強化段ボール（スリーブ８及び蓋体１０）の変形及び破損を防止するためにスリーブ８に装着される包装容器用保形具１を備える。
【００１６】
図２の斜視図に示すように、本考案の実施の形態に係る包装容器用保形具１は、一対の掛止部材２，２と、掛止部材２，２の左右両端部に固定される横架部材３，３とからなる、平面視矩形状のものである。
ここで、掛止部材２，２は、対向する前後の垂直板２Ａ，２Ａ及び一方の垂直板２Ａの上端から他方の垂直板２Ａに向かって前後方向内方へ延びる水平板２Ｂ，２Ｂからなる、垂直板２Ａ，２Ａの対向方向（前後方向）に直交する水平方向（左右方向）に長い一対のアングル材により構成され、標準品である等辺山形鋼に、垂直板２Ａの長手方向（左右方向）両端部に通孔４Ａ，４Ａを、水平板２Ｂの長手方向（左右方向）両端部に通孔４Ｂ，４Ｂを穿設したものである。
また、横架部材３，３は、前記対向方向（前後方向）に長く、垂直板２Ａ，２Ａとは前後方向の隙間５，５を空けて水平板２Ｂ，２Ｂの下面に当接した状態で水平板２Ｂ，２Ｂに固定され、掛止部材２，２間を繋ぐ木製の角材であり、前記水平方向（左右方向）に離間するように並設される。
よって、水平板２Ｂの通孔４Ｂ，４Ｂから図示しない木ねじを横架部材３に螺着することにより、掛止部材２，２及び横架部材３，３を容易に固定できる。
【００１７】
次に、荷造り作業について説明する。
図３の斜視図に示すように、先ず、パレット７に図示しない重量物である荷物（例えば、例えば５００ｋｇ以上の機械装置等）を固定し、次に、前後左右の側板（前側板９Ｆ，後側板９Ｂ，左側板９Ｌ，右側板９Ｒ）により構成され、平面視矩形状で上面及び下面が開口した強化段ボール製スリーブ８の下端縁をパレット７に嵌合する。
次に、前側板９Ｆ及び後側板９Ｂの上端部を包装容器用保形具１の前後の隙間５，５（図２参照。）に入れるように、包装容器用保形具１をスリーブ８上に載置し、包装容器用保形具１の左右方向の位置を、重量物である荷物の重心位置に応じてスリングベルトＢ（図１参照。）を掛ける位置に合わせる。
次に、垂直板２Ａの通孔４Ａ，４Ａから図示しない木ねじを横架部材３，３の端面に螺着することにより、包装容器用保形具１をスリーブ８に固定する。
この状態では、包装容器用保形具１は、前側板９Ｆ及び後側板９Ｂの上端縁から水平板２Ｂ，２Ｂの板厚分が高くなっているだけであるので、スリーブ８の上面開口を塞ぐように強化段ボール製蓋体１０を被せた際に蓋体１０がぐらつくことはなく、スリーブ８を閉蓋した状態で蓋体１０は安定する。
次に、図１に示すように梱包ベルトＡ，Ａを掛けることにより、荷造り作業が完了する。
【００１８】
次に、包装容器用保形具１の変形例について説明する。
例えば図１において、スリングベルトＢが掛けられる蓋体１０及びスリーブ８（前側板９Ｆ，後側板９Ｂ）の範囲（スリングベルトＢが掛けられる角部の左右方向の間隔）が広くなる場合は、前記範囲に合わせて、例えば図４の斜視図に示すように掛止部材２，２の長さを長くすればよい。
また、図５の斜視図に示すように、横架部材３を３本としてもよく、あるいは４本以上としてもよく、横架部材３は複数であればよい。
さらに、包装容器用保形具１は、図２及び図４のような平面視矩形状（ロ字状）のもの、図５のような平面視日字状のもの等のように、横架部材３，３を掛止部材２，２の左右両端部に固定する構成ではなく、図６の斜視図に示すような平面視II字状のものように、
横架部材３，３を掛止部材２，２の左右両端部よりも内方に寄せた位置に固定した構成等であってもよい。
【００１９】
以上のような包装容器用保形具１の構成によれば、掛止部材２，２の垂直板２Ａ，２Ａと横架部材３，３との隙間５，５に重量物吊上げ用包装容器６の強化段ボール製スリーブ８（前側板９Ｆ及び後側板９Ｂ）の上端部が入った状態では、包装容器用保形具１はスリーブ８上に載置され、その状態が保持される。
したがって、機械装置等の重量物である荷物の重心位置に応じてスリングベルトＢを掛ける位置に包装容器用保形具１を容易に合わせることができるとともに、包装容器６（スリーブ８）に包装容器用保形具１を固定する作業も容易になる。
また、重量物である荷物を収容した包装容器６にスリングベルトＢを掛けて吊り上げた際に、包装容器６の強化段ボール製スリーブ８（前側板９Ｆ及び後側板９Ｂ）の上端部のスリングベルトＢが掛かる部分には、包装容器用保形具１のアングル材により構成される掛止部材２，２があるとともに、一対の掛止部材２，２間には横架部材３，３がわたっている。
したがって、掛止部材２，２及び横架部材３，３により構成される比較的軽量で簡素な構成により、一部に強化段ボールを含む包装容器６における強化ダンボール（スリーブ８及び蓋体１０）の変形や破損を確実に防止できるとともに、製造コストの増大を抑制できる。
【００２０】
さらに、アングル材である掛止部材２，２が鋼製であるので、所要の強度及び剛性の確保が容易であるとともに、標準品である等辺山形鋼等の形鋼を用いて製造コストを低減できる。
さらにまた、一対の掛止部材２，２間を繋ぐ横架部材３，３が木製であるので、容易に切断できるため現場での長さ調整が容易であるとともに、掛止部材２，２と横架部材３，３との固定を木ねじ等により容易に行うことができる。
また、掛止部材２，２の垂直部材２Ａ，２Ａと横架部材３，３との隙間５，５に包装容器６の強化段ボール製スリーブ８（前側板９Ｆ及び後側板９Ｂ）の上端部を入れた状態で、包装容器用保形具１を強化段ボール製スリーブ８に木ねじ等により容易に固定できる。
【００２１】
以上のような重量物吊上げ用包装容器６の構成によれば、パレット７に重量物である荷物を固定した状態で、強化段ボール製スリーブ８の下端縁をパレット７に嵌合し、強化段ボール製スリーブ８（前側板９Ｆ及び後側板９Ｂ）の上端部に包装容器用保形具１を装着し、強化段ボール製蓋体１０により閉蓋して梱包ベルトＡ，Ａを掛けることにより荷造り作業が完了するので、荷造り作業が容易になるとともに、包装容器６全体の軽量化及び低コスト化を図ることができる。
また、包装容器用保形具１により強化ダンボール（スリーブ８及び蓋体１０）の変形や破損を確実に防止しながら、クレーン等により容易に吊り上げることができるとともに、重量物である荷物がパレット７に固定されているため、フォークリフト等により容易に運搬できるので、輸送の際における、工場、トラック、コンテナ又は倉庫等における荷役作業が容易になる。
【符号の説明】
【００２２】
Ａ  梱包ベルト                          Ｂ  スリングベルト
Ｃ  クレーンフック                      Ｆ  前方
１  包装容器用保形具                    ２  掛止部材
２Ａ  垂直板                            ２Ｂ  水平板
３  横架部材                            ４Ａ，４Ｂ  通孔
５  隙間                                ６  重量物吊上げ用包装容器
７  パレット                            ８  スリーブ
９Ｆ  前側板                            ９Ｂ  後側板
９Ｌ  左側板                            ９Ｒ  右側板
１０  蓋体
【図１】
0003184587.tif 000003
【図２】
0003184587.tif 000004
【図３】
0003184587.tif 000005
【図４】
0003184587.tif 000006
【図５】
0003184587.tif 000007
【図６】
0003184587.tif 000008